(57)【要約】【課題】  記録媒体の表裏両面に対して全面記録を行う場合に、表面と裏面とで位置ずれのない画像を形成する。【解決手段】  両面記録および余白無し記録を行う場合、前記記録媒体のサイズに関する情報およびはみ出し量に関する情報に基づいて、記録媒体上の領域とはみ出し領域とからなる領域に対応した全体画像データを生成する。ここで、画像データ生成工程においては、記録媒体に対する一方の面に対応した全体画像データの相対位置と記録媒体に対する前記他方の面に対応した全体画像データの相対位置が一致するように、一方の面および他方の面それぞれの全体画像データを生成する。【選択図】  図７
2006051714.tif 000002
【特許請求の範囲】
【請求項１】
記録手段から着色材を付与することにより記録媒体の一方の面に対して画像を記録し、当該画像が記録された記録媒体を反転させて前記記録媒体の他方の面に対して前記記録手段により画像を記録する記録方法であって、
前記記録媒体上の領域および前記記録媒体の外側にはみ出した領域に対して前記記録手段から着色材を付与することにより前記記録媒体の端部に余白を設けずに記録を行うモードを設定する工程と、
前記モードが設定された場合、前記記録媒体のサイズに関する情報および前記はみ出し領域の幅に関する情報に基づいて、前記記録媒体上の領域と前記はみ出し領域を含む領域に対応した全体画像データを生成する工程と、
前記生成された全体画像データに基づいて前記記録手段から着色材を付与する工程とを備え、
前記生成工程は、前記記録媒体に対する前記一方の面に対応した全体画像データの相対位置と前記記録媒体に対する前記他方の面に対応した全体画像データの相対位置が一致するように、前記一方の面および他方の面それぞれの全体画像データを生成することを特徴とする記録方法。
【請求項２】
前記生成工程は、前記記録媒体の搬送方向の一端に位置する第１端部からのはみ出し領域の幅と前記記録媒体の搬送方向の他端に位置する第２端部からのはみ出し領域の幅とを一致させて前記全体画像データを生成することを特徴とする請求項１に記載の記録方法。
【請求項３】
前記全体画像データのうち、前記第１端部からのはみ出し領域に対応するデータの一部をマスク処理する工程を更に備え、
前記付与工程は、前記マスク処理された全体画像データに基づいて前記記録手段から着色材を付与することを特徴とする請求項２に記載の記録方法。
【請求項４】
前記生成工程は、前記記録媒体の搬送方向と直交する方向の一端に位置する第３端部からのはみ出し領域の幅と前記記録媒体の搬送方向と直交する方向の他端に位置する第４端部からのはみ出し領域の幅とを一致させて前記全体画像データを生成することを特徴とする請求項２または３に記載の記録方法。
【請求項５】
前記全体画像データのうち、前記第３端部からのはみ出し領域に対応するデータの一部をマスク処理する工程を更に備え、
前記付与工程は、前記マスク処理された全体画像データに基づいて前記記録手段から着色材を付与することを特徴とする請求項４に記載の記録方法。
【請求項６】
前記生成工程は、見開きの左右頁を構成する先の記録媒体における他方の面と後続の記録媒体における一方の面に１つの画像を分割して記録する場合、前記２つの面の隣接する左右側端部において互いに画像がオーバーラップするように、前記他方の面および一方の面それぞれに対応する全体画像データを生成することを特徴とする請求項１ないし５のいずれかに記載の記録方法。
【請求項７】
左右の頁の画像が互いにオーバーラップする幅は、前記はみ出し領域の幅と同一、あるいは前記はみ出し領域の幅に綴じ代の幅を加えた幅と同一であることを特徴とする請求項６に記載の記録方法。
【請求項８】
記録媒体上の領域および当該記録媒体の外側にはみ出した領域に対して記録手段から着色材を付与することにより前記記録媒体の端部に余白を設けずに記録を行う記録方法であって、
前記記録媒体の一方の面および他方の面に対して前記記録手段から着色材を付与することにより画像を記録する両面記録モードの設定する工程と、
前記両面記録モードが設定された場合、前記記録媒体のサイズに関する情報および前記はみ出し領域の幅に関する情報に基づいて、前記記録媒体上の領域と前記はみ出し領域を含む領域に対応した全体画像データを生成する工程と、
前記生成された全体画像データに基づいて前記記録手段から着色材を付与する工程とを備え、
前記生成工程は、前記記録媒体に対する前記一方の面に対応した全体画像データの相対位置と前記記録媒体に対する前記他方の面に対応した全体画像データの相対位置が一致するように、前記一方の面および他方の面それぞれの全体画像データを生成することを特徴とする記録方法。
【請求項９】
記録媒体上の領域および当該記録媒体の外側にはみ出した領域に対して記録手段から着色材を付与することにより前記記録媒体の端部に余白を設けずに記録を行う場合に使用される画像データを生成する方法であって、
前記記録媒体の一方の面および他方の面に対して前記記録手段から着色材を付与することにより画像を記録する両面記録モードの設定する工程と、
前記両面記録モードが設定された場合、前記記録媒体のサイズに関する情報および前記はみ出し領域の幅に関する情報に基づいて、前記記録媒体上の領域と前記はみ出し領域を含む領域に対応した全体画像データを生成する工程とを有し、
前記生成工程は、前記記録媒体に対する前記一方の面に対応した全体画像データの相対位置と前記記録媒体に対する前記他方の面に対応した全体画像データの相対位置が一致するように、前記一方の面および他方の面それぞれの全体画像データを生成することを特徴とするデータ生成方法。
【請求項１０】
前記生成工程は、前記記録媒体の搬送方向の一端に位置する第１端部からのはみ出し領域の幅と前記記録媒体の搬送方向の他端に位置する第２端部からのはみ出し領域の幅とを一致させ、且つ前記記録媒体の搬送方向と直交する方向の一端に位置する第３端部からのはみ出し領域の幅と前記記録媒体の搬送方向と直交する方向の他端に位置する第４端部からのはみ出し領域の幅とを一致させて、前記全体画像データを生成することを特徴とする請求項９に記載のデータ生成方法。
【請求項１１】
請求項９または１０に記載のデータ生成方法をコンピュータによって実行させるためのプログラム。
【請求項１２】
記録手段から着色材を付与することにより記録媒体の一方の面に対して画像を記録し、当該画像が記録された記録媒体を反転させて前記記録媒体の他方の面に対して前記記録手段により画像を記録する記録装置であって、
前記記録媒体上の領域および前記記録媒体の外側にはみ出した領域に対して前記記録手段から着色材を付与することにより前記記録媒体の端部に余白を設けずに記録を行うモードが設定された場合、前記記録媒体のサイズに関する情報および前記はみ出し領域の幅に関する情報に基づいて、前記記録媒体上の領域と前記はみ出し領域を含む領域に対応した全体画像データを生成する手段と、
前記生成された全体画像データに基づいて前記記録手段から着色材を付与する手段とを備え、
前記生成手段は、前記記録媒体に対する前記一方の面に対応した全体画像データの相対位置と前記記録媒体に対する前記他方の面に対応した全体画像データの相対位置が一致するように、前記一方の面および他方の面それぞれの全体画像データを生成することを特徴とする記録装置。
【発明の詳細な説明】
【技術分野】
【０００１】
本発明は、記録媒体の表面に画像を記録した後、その記録媒体の表裏および前後を反転させて搬送し、記録媒体の裏面に画像を形成する記録方法、データ生成方法、プログラムおよび記録装置に関する。
【背景技術】
【０００２】
現在、プリンター等の記録装置においては、給紙部から給送された記録媒体を記録ヘッドに対向する位置へと搬送し、その位置へ到達した記録媒体に対し記録ヘッドにより記録を行った後、その記録媒体の前後および表裏を反転させて再び記録ヘッドに対向する位置へと搬送することにより、記録媒体の裏面にも自動的に画像を形成し得るようにした自動両面記録機能を有する記録装置が知られている。
【０００３】
この自動両面記録機能を有する記録装置としては、特許文献１に示されるようなものがある。図１１は特許文献１に示される記録装置を示す図である。この記録装置３００により片面記録を行う場合、切換え用ガイド部材２６０は実線で示す位置に保持される。このため、給紙スタッカ２１０から給紙された記録媒体１は、記録ヘッド２５０による記録が行われた後、切換え用ガイド部材２６０上を通過して矢印ｂで示すように排出スタッカ２８０上に排出される。
【０００４】
また、記録媒体Ｐに対して両面記録を行う場合には、切り替え用ガイド部材２６０が破線で示す位置に切換えられる。これにより、給紙スタッカ２１０から記録ヘッド２５０へと送られて片面記録が行われた記録媒体１は、矢印ＦおよびＧで示すように搬送されて反転部３５０に導かれる。その後、記録媒体１は反転部３５０から反転ローラ３４０に向けて矢印Ｈで示すように逆方向に送出され、反転ローラ３４０、案内板３６０および搬送ローラ３１０へと送られ、搬送ローラ３１０の搬送力によって記録媒体１はガイド２２０に沿って搬送される。これにより、記録媒体は、その前後、表裏が反転された状態で再び記録位置に導かれ、ここで裏面側の記録がなされ、切換用ガイド部材２６０の再度の変位により、排出スタッカ２８０上に排出される。
【０００５】
また、ここに開示されている記録装置３００は、記録媒体Ｐの端部に余白（マージン）を持たせて画像の周囲に縁取りを行うものとなっており、記録媒体１の左右の余白の幅を制御し得るようになっている。
【０００６】
ところで、記録技術の向上によって銀塩写真に匹敵する高品質な画像形成が可能となった現在の記録装置１では、銀塩写真と同様に記録媒体の端部に余白部分を形成せず、記録媒体全体に画像を形成するいわゆる余白なし記録（以下、全面記録とも言う）を可能とするものも提案されている。
【０００７】
この全面記録を行う記録装置としては、特許文献２に示されるものがある。この記録装置では、記記録媒体の端部より内側の領域内に記録を行うだけでなく、記録媒体の端部より数ミリ外方へと突出する範囲に亘って余分にインクの吐出を行う。これによって、記録媒体の端部に余白が形成されるのを防止し、確実に全面記録を行い得るようになっている。また、この余白なし記録において、記録媒体の端部より外方に吐出されたインクは、プラテンに設けられたインク吸収体上に着弾し、ここに吸収されるようになっている。
【０００８】
【特許文献１】特開平６−１８３０６８号公報
【特許文献２】特開２００３−１７７８９８号公報
【発明の開示】
【発明が解決しようとする課題】
【０００９】
上記各特許文献に示すように、両面記録を行う記録装置と全面記録を行う記録装置の各々は、いずれも従来より知られているが、特許文献１に示すような両面記録機能を有する記録装置に対し、特許文献２に示すような全面記録動作を実行させた場合、以下のような問題が生じることから、自動両面記録機構を有する記録装置において全面記録画像を行い得るものは未だ存在していないのが現状である。
【００１０】
すなわち、記録装置に用いられる記録媒体は、原紙を所定のサイズに裁断して形成するため、各記録媒体の前後両端のいずれか一方および左右両端のいずれか一方に若干の裁断干誤差が生じている場合がある。このため、裁断誤差の生じていない理想的な記録媒体を想定して、記録媒体の外側に余分にインクを吐出する領域（以下、はみ出し領域と称す）の幅（以下、はみ出し量と称す）を設定すると、記録媒体に裁断誤差が生じている場合に、記録媒体の前端または後端、および左端または右端に記録動作の行われない部分、つまり余白が形成される可能性がある。
【００１１】
そこで、記録媒体の片面にのみ全面記録を行う従来の記録装置にあっては、図１２（ａ）に示すように、記録媒体Ｐの４つの端部Ｐ１〜Ｐ４のうち、裁断誤差Ｂ，Ｄが生じていない二つの端部Ｐ１（第１端），Ｐ３（第３端）の各々に対するはみ出し量より、裁断誤差が生じている他の２つの端部Ｐ２（第２端），Ｐ４（第４端）に対するはみ出し量を大きく設定している。つまり、第１端Ｐ１に対しては、記録媒体の搬送方向前端と記録ヘッドによる記録位置との位置合せ誤差（頭出し精度）などを考慮したはみ出し量Ａが設定されるのに対し、第２端に対しては、前記のはみ出し量Ａに裁断誤差Ｂを加えたはみ出し量（Ａ＋Ｂ）が設定される。また、第３端Ｐ３に対しては、記録媒体Ｐの斜めに平行移動することによる誤差（斜行誤差）などを考慮したはみ出し量Ｃが設定されるのに対し、第４端Ｐ４に対しては前記のはみ出し量Ｃに前記裁断誤差Ｄを加えたはみ出し量（Ｃ＋Ｄ）が設定される。このようにして記録媒体Ｐの各端部に対してはみ出し量を設定することにより、いずれの端部についても余白のない適正な画像を記録することが可能となる。
【００１２】
一方、前記の特許文献１に示すような自動両面記録機構を有する記録装置では、両面記録時において記録媒体の表裏両面が反転すると共に、記録媒体の前後両端が反転するようになっている。すなわち、表面への記録動作では搬送方向（Ｘ方向）における後方側に位置していた第２の端部Ｐ２が、裏面の記録動作では図１２（ｂ）に示すように搬送方向（Ｘ方向）において前方側に位置することとなる。すると、記録媒体の端部Ｐ１からのはみ出し量は表面記録時でＡ、裏面記録時でＡ＋Ｂとなり、また、記録媒体の端部Ｐ２からのはみ出し量は表面記録時でＡ＋Ｂ、裏面記録時でＡとなるため、記録媒体に対する全体画像データの相対位置が図１２のαで示されるように表面と裏面とでズレてしまう。
【００１３】
このため、例えば、２枚の記録媒体の表面と裏面とで連続した見開き画像を形成する場合、左右の画像の連続性が損なわれ、見開き画像としての品質が低下するという問題が生じる。
【００１４】
本発明は上記課題に着目してなされたものであり、記録媒体の表裏両面に対して全面記録を行う場合に、表面と裏面とで位置ズレのない画像を形成することができる記録方法、データ生成方法、プログラムおよび記録装置の提供を目的とする。
【課題を解決するための手段】
【００１５】
上記目的を達成するための本発明は、以下のような構成を有する。  
すなわち、本発明の第１の形態は、記録手段から着色材を付与することにより記録媒体の一方の面に対して画像を記録し、当該画像が記録された記録媒体を反転させて前記記録媒体の他方の面に対して前記記録手段により画像を記録する記録方法であって、前記記録媒体上の領域および前記記録媒体の外側にはみ出した領域に対して前記記録手段から着色材を付与することにより前記記録媒体の端部に余白を設けずに記録を行うモードを設定する工程と、前記モードが設定された場合、前記記録媒体のサイズに関する情報および前記はみ出し領域の幅に関する情報に基づいて、前記記録媒体上の領域と前記はみ出し領域を含む領域に対応した全体画像データを生成する工程と、前記生成された全体画像データに基づいて前記記録手段から着色材を付与する工程とを備え、前記生成工程は、前記記録媒体に対する前記一方の面に対応した全体画像データの相対位置と前記記録媒体に対する前記他方の面に対応した全体画像データの相対位置が一致するように、前記一方の面および他方の面それぞれの全体画像データを生成することを特徴とする。
【００１６】
本発明の第２の形態は、記録媒体上の領域および当該記録媒体の外側にはみ出した領域に対して記録手段から着色材を付与することにより前記記録媒体の端部に余白を設けずに記録を行う記録方法であって、前記記録媒体の一方の面および他方の面に対して前記記録手段から着色材を付与することにより画像を記録する両面記録モードの設定する工程と、
前記両面記録モードが設定された場合、前記記録媒体のサイズに関する情報および前記はみ出し領域の幅に関する情報に基づいて、前記記録媒体上の領域と前記はみ出し領域を含む領域に対応した全体画像データを生成する工程と、前記生成された全体画像データに基づいて前記記録手段から着色材を付与する工程とを備え、前記生成工程は、前記記録媒体に対する前記一方の面に対応した全体画像データの相対位置と前記記録媒体に対する前記他方の面に対応した全体画像データの相対位置が一致するように、前記一方の面および他方の面それぞれの全体画像データを生成することを特徴とする。
【００１７】
本発明の第３の形態は、記録媒体上の領域および当該記録媒体の外側にはみ出した領域に対して記録手段から着色材を付与することにより前記記録媒体の端部に余白を設けずに記録を行う場合に使用される画像データを生成する方法であって、前記記録媒体の一方の面および他方の面に対して前記記録手段から着色材を付与することにより画像を記録する両面記録モードの設定する工程と、前記両面記録モードが設定された場合、前記記録媒体のサイズに関する情報および前記はみ出し領域の幅に関する情報に基づいて、前記記録媒体上の領域と前記はみ出し領域を含む領域に対応した全体画像データを生成する工程とを有し、前記生成工程は、前記記録媒体に対する前記一方の面に対応した全体画像データの相対位置と前記記録媒体に対する前記他方の面に対応した全体画像データの相対位置が一致するように、前記一方の面および他方の面それぞれの全体画像データを生成することを特徴とする。
【００１８】
本発明の第４の形態は、上記のデータ生成方法をコンピュータによって実行させるためのプログラムである。
【００１９】
本発明の第５の形態は、記録手段から着色材を付与することにより記録媒体の一方の面に対して画像を記録し、当該画像が記録された記録媒体を反転させて前記記録媒体の他方の面に対して前記記録手段により画像を記録する記録装置であって、前記記録媒体上の領域および前記記録媒体の外側にはみ出した領域に対して前記記録手段から着色材を付与することにより前記記録媒体の端部に余白を設けずに記録を行うモードが設定された場合、前記記録媒体のサイズに関する情報および前記はみ出し領域の幅に関する情報に基づいて、前記記録媒体上の領域と前記はみ出し領域を含む領域に対応した全体画像データを生成する手段と、前記生成された全体画像データに基づいて前記記録手段から着色材を付与する手段とを備え、前記生成手段は、前記記録媒体に対する前記一方の面に対応した全体画像データの相対位置と前記記録媒体に対する前記他方の面に対応した全体画像データの相対位置が一致するように、前記一方の面および他方の面それぞれの全体画像データを生成することを特徴とする。
【発明の効果】
【００２０】
以上の構成によれば、記録媒体の端部に裁断誤差が生じている記録媒体に対し、両面の縁無し記録を行う場合にも、各面に対して余白を発生させることなく確実に全面記録を行うことができ、しかも、見開き頁を構成する２枚の記録媒体の表面および裏面に対して連続する見開き画像を形成した場合、見開き頁の左右の画像に上下の位置ずれが発生するのを抑制することができ、連続性のある良好な品質の見開き画像を形成することができる。
【発明を実施するための最良の形態】
【００２１】
本発明を実施するための最良の形態について、以下に図面を参照して説明する。  
（第１の実施形態）
本発明の第１の実施形態を図１〜図７に沿って説明する。図１は本発明の実施形態における記録装置の斜視図、図２は本発明の実施形態における記録装置の機構部の斜視図、図３は本発明の実施形態における縦断側面図、図４は本発明の実施形態における制御系の概略構成を示すブロック図、図５は本発明の第１の実施形態における画像情報生成処理を示すフローチャート、図６は本発明の実施形態における記録動作を示すフローチャート、図７は本発明に係る全面記録（余白なし記録とも言う）時の画像のはみ出し量及び実際のインク吐出範囲などの設定状態を示す説明図である。
【００２２】
まず、本実施形態に適用する記録装置の概略構成を図１ないし図３と共に説明する。  
ここに示す記録装置には、記録装置１、給紙装置２、送紙部３、キャリッジ部５、排紙部４、Ｕターン・自動両面搬送部８、給紙カセット８１などが設けられている。
【００２３】
この記録装置では、記録媒体の表面にのみ記録動作を行う片面記録動作モード、または記録媒体の表裏両面に記録を行う両面記録動作モードを選択的に実行し得るものとなっている。
【００２４】
いま、給紙部２の給紙トレイ２６に記録媒体を積載し、片面記録モードを選択して記録開始指令を入力すると、分離ローラ２４１の回転動作によって給紙部２に積載された複数枚の記録媒体の中から一枚の記録媒体が分離され、その記録媒体は給紙ローラ２８の回転力によってペーパーガイドフラッパ３３上を経て搬送ローラ３６へと送られ、搬送ローラ３６の間欠的な搬送動作によって、記録位置であるプラテン３４上に送られる。図中、一点鎖線に示すＲ１はこの給紙部２から搬送ローラ３６に至る経路（第１の経路）を示している。
【００２５】
プラテン３４との対向位置には、記録媒体の搬送方向と直交する方向に沿って配置されたガイドシャフト５２に沿ってキャリッジ５０が往復移動可能に支持されている。このキャリッジ５０には複数色のインクタンク（図２では、イエロー（Ｙ）、シアン（Ｃ）、マゼンタ（Ｍ）、ブラック（Ｂ）、淡シアン（ＣＬ）の５種類のインクタンク）が着脱可能に搭載されると共に、各インクタンクから供給されるインクを吐出する４種類の記録ヘッド４５（記録手段）４５が着脱可能に搭載されており、キャリッジに搭載された各記録ヘッド４５は、前記プラテン３４に所定の間隔を介して対向している。
【００２６】
記録ヘッド４５は、キャリッジ５０と共に主走査方向へと移動しつつインク吐出動作を行い、プラテン３４上に搬送された記録媒体Ｐの表面にインク滴を着弾させて記録を行う。この記録ヘッド４５による記録動作（主走査）と搬送ローラ３６による搬送動作とを交互に繰り返すことにより、記録媒体の片面には順次画像が形成されて行く。この際、記録媒体の端部に余白を設けず、記録媒体の全面に画像を形成する全面記録動作を行う場合には、後述の画像情報の設定、および記録ヘッドの吐出動作の制御によって、記録媒体Ｐより外方の領域にまでインクを吐出して記録動作を行う。なお、記録媒体の外方に吐出されたインクは、プラテン３４に設けられたインク吸収体に吸収されるようになっている。この後、記録ヘッド４５により画像の形成された記録媒体は、排紙ローラ４０，４１の回転動作によって記録装置１の正面側に設けられた排紙トレイ４６上に排紙される。
【００２７】
一方、記録装置１により全面記録が指令された場合には、上記の片面記録時と同様に、分離ローラ２４１、給紙ローラ２８、搬送ローラ３６などの回転動作によって、記録媒体が給紙部２からペーパーガイドフラッパ３３を経てプラテン３４上へと搬送され、記録媒体の片面（表面）に記録ヘッド４５によって画像の記録が行われる。ここで、表面に記録された記録媒体は、排紙ローラ４０，４１の正転によって一旦排紙トレイ４６側へと送り出される。なお、この表面への記録動作において搬送方向前方に位置する記録媒体の端部を第１端、搬送方向後方に位置する端部を第２端とする。
【００２８】
この後、ペーパーガイドフラッパー３３の位置が切換わり、排紙側の端部が図３に示す状態から上方へと移動した状態で保持される。そして、排紙ローラ４０，４１が逆転し、表面に画像が記録された記録媒体が、プラテン３４へ向けて逆方向に搬送され、この時点で搬送方向における記録媒体の前後が反転することとなる。つまり記録媒体の第２端が前端となり、第１端が後端となる。プラテン３４を通過した記録媒体は、ペーパーガイドフラッパー３３の下方を通過して第１の経路Ｒ１より下方に配置されたＵ字上に屈曲する第２の経路Ｒ２へと導かれる。この第２の経路Ｒ２には、２つのローラ対（Ｕターンピンチローラ８６１と中間ローラ８６、およびＵターンピンチローラ８７１と中間ローラ８７）が上流側と下流側とに配置されており、第２の経路Ｒ２に導かれた記録媒体は、これらのローラ対によって裏面を上方に向けた状態で前記第１の経路Ｒ１との合流点Ｍへと送られる。このときペーパーガイドフラッパ３３は、その排出側端部が下方へと切り替わっているため、合流点Ｍに達した記録媒体はペーパーガイドフラッパ３３の上方を経て再び記録ヘッド４５へと送られ、記録媒体の裏面に画像が記録される。この裏面への記録動作が全面記録動作である場合には、前述のように記録媒体の全面に画像を形成する全面記録動作を行う場合には、記録媒体Ｐより外方の領域にまでインクを吐出して記録動作を行う。その後、表裏両面に記録された記録媒体は、排紙ローラ４０，４１によって排紙トレイ４６へと排紙される。
【００２９】
なお、本実施形態における記録装置の下方部には、給紙カセット８１が設けられており、ここに積載された記録媒体に対する片面記録、および両面記録を実行することができるようになっている。すなわち、給紙カセット８１内の記録媒体を、給紙ローラ８２１などによって搬送経路Ｒ２へと記録媒体を送り出した後、搬送経路Ｒ２中の各ローラの搬送動作によって記録ヘッド４５へと送ることで、記録動作を行うことができる。また、両面記録動作時には、片面に記録済みの記録媒体を排紙ローラ４０，４１で逆送し、再び搬送経路Ｒ２を通過させることによって表裏、前後を反転させて記録ヘッド４５へと送り、裏面への記録動作を行う。
【００３０】
次に、本実施形態における制御系の概略構成を図４を参照しつつ説明する。  
図４は、本発明の第１実施例におけるインクジェット記録装置１０２の構成を示すブロック図である。図中、１０１は記録装置１にインターフェース１１４を介して接続されたホストコンピュータである。このホストコンピュータ１０１には、記録装置１によって記録動作実行させるための画像情報や制御情報などの生成を行うプリンタドライバが所定の記憶媒体から入力されて格納されており、このプリンタドライバとホストコンピュータのハードウェア資源とにより、画像情報生成手段としての機能が実現される。
【００３１】
一方、２０１は記録装置１の全体的動作を制御する制御手段としての制御部で、マイクロプロセッサなどのＣＰＵ２１０と、このＣＰＵ２１０により実行される制御プログラムや各種データを記憶しているＲＯＭ２１１と、ＣＰＵ２１０による各種処理の実行時にワークエリアとして使用され、各種データを一時的に保持するＲＡＭ２１２などを有する。ＲＡＭ２１２には、前述した受信バッファ１１５やＹ，Ｍ，Ｃ，Ｂｋ，ＣＬの各色のインクで記録する記録ヘッド４５２１Ｙ，２１Ｍ，２１Ｃ，２１Ｂｋ，２１ＣＬに対応して、記録データを記憶するＹ，Ｍ，Ｃ，Ｂｋ，ＣＬの記録バッファ（画像情報格納手段）が設けられている。
【００３２】
２０２はヘッドドライバで、制御部２０１から出力される各色の記録データに応じて、イエロー用記録ヘッド４５Ｙ，マゼンタ用記録ヘッド４５Ｍ，シアン用記録ヘッド４５Ｃ、ブラック用記録ヘッド４５Ｂｋおよび淡シアンＣ用記録ヘッド４５ＣＬを駆動する。２０３，２０４のそれぞれはモータドライバで、対応するキャリッジモータ６、あるいは紙送り用モータ２０５を駆動するようになっている。
【００３３】
また、媒体端部検出センサ２１３は、インクジェット記録装置の第１の搬送経路と第２の経路との合流点から記録ヘッドに至る搬送経路内の所定の基準位置に設けられたセンサである。この媒体端部検出センサ２１３は、第１の経路Ｒ１または第２の経路Ｒ２から搬送されて来た記録媒体の端部が前記基準位置に達した時点で出力がオンからオフへと切り換わるようになっており、その出力結果に基づき、ＣＰＵ２１０は記録媒体の端部が基準位置に達したか否かを判断する。
【００３４】
次に、本発明の第１の実施形態において、記録媒体に対し自動的に全面記録（記録媒体の端部に余白を設けずに記録を行う、いわゆる余白なし記録）を行う際に実行される画像データ生成処理および記録動作の一例を説明する。  
まず、図５に基づきホストコンピュータによって実行される画像データ生成処理を説明する。ユーザによる記録指令があると、ホストコンピュータ１０１では、デジタル撮像装置などにて生成された画像データ（原画像データ）を取得し、この原画像データをホストコンピュータ１０１のメモリ内の所定の記憶領域に格納する（ステップＳ１）。次いで、ユーザにより指定された記録媒体のサイズの情報を取得し（ステップＳ２）、その記録媒体のサイズ情報に基づき、上記原画像データを上記サイズに準じた画像データ（基準画像データＰＳ）に変換し、この基準画像データＰＳがホストコンピュータ１０１内の所定の記憶領域に格納される（ステップＳ３）。なお、記録媒体のサイズ指定操作において、ユーザは、裁断誤差などが発生していない理想的な記録媒体のサイズ（例えば、Ａ４，Ｂ５等）を指定する。
【００３５】
基準画像データが決定されると、次に、ホストコンピュータ１０１では、ユーザーによって記録媒体の片面にのみ記録動作を行う片面記録モードが設定されているか、記録媒体の表裏両面に記録動作を行う両面記録モードが設定されているかを判断し（ステップＳ４）、設定されているモードに応じて、図１２または図７に示すようにして、はみ出し量（記録媒体から外側へはみ出した領域の幅）と基準画像データを考慮して全体画像データを作成し、その全体画像データをホストコンピュータ１０１内の所定の記憶領域に格納する。なお、全体画像データとは、図７や図１２の表面の２点鎖線で示される領域に対応したデータである。
【００３６】
この場合、記録媒体の前後方向におけるはみ出し画像のはみ出し量を決定する要因としては、前記課題の欄にて述べたように、記録媒体の搬送方向前端と記録ヘッドによる記録位置との位置合せ誤差（頭出し誤差）Ａと、記録媒体の裁断誤差Ｂとが考えられる。従って、本実施形態においても片面に対してのみ全面記録を行う場合には、図１２の表面に示されるように、
はみ出し量（第１端）＝Ａ
はみ出し量（第２端）＝Ａ＋Ｂ
となるように、はみ出し量を設定する。つまり、裁断誤差が発生しない記録媒体の第１端Ｐ１からのはみ出し量Ａを取得し（ステップＳ５Ａ）、裁断誤差が発生し得る第２端Ｐ２からのはみ出し量（Ａ＋Ｂ）を取得する（ステップＳ６Ａ）。
【００３７】
また、記録媒体の左右方向におけるはみ出し量を決定する要因としては、前記課題の欄にて述べたように、搬送動作時に生じる斜行誤差Ｃと記録媒体の裁断誤差Ｄとが考えられる。従って、本実施形態においても片面に対してのみ全面記録を行う場合には、
はみ出し量（第３端）＝Ｃ
はみ出し量（第４端）＝Ｃ＋Ｄ
となるように、はみ出し量を設定する。つまり、裁断誤差が発生しない第３端Ｐ４からはみ出し量Ｃを取得し（ステップＳ７Ａ）、裁断誤差が発生し得る第４端Ｐ４からのはみ出し量（Ｃ＋Ｄ）を取得する（ステップＳ８Ａ）。
【００３８】
次に、ステップＳ９Ａにおいて、上記ステップＳ５Ａ〜Ｓ８Ａにて取得したはみ出し量と、上記ステップＳ２にて取得した記録媒体サイズ情報、および上記ステップＳ３にて作成した基準画像データＰＳに基づき、図１２の表面の２点鎖線で示される全体画像データを作成する。
【００３９】
一方、両面記録モードが設定されている場合にも、記録媒体Ｐの前後方向において適正な全面記録を行うためには、頭出し誤差Ａと、裁断誤差Ｂとを考慮する必要がある。しかし、表面記録時と裏面記録時とでは、記録媒体Ｐの搬送方向における画像の前後が入れ替わることから、画像データの上下を入れ替えて記録を開始するため、上記のようにして設定した片面記録用の画像データをそのまま利用して、表面記録と裏面記録を行うと、前記課題の欄にて述べたように、表面と裏面とで記録される画像の中心位置が互いに上下にずれる可能性がある（図１２参照）。
【００４０】
そこで、本実施形態では、記録媒体の両面に対し全面記録を行う場合、図７に示されるように、
はみ出し量（第１端）＝Ａ＋Ｂ
はみ出し量（第２端）＝Ａ＋Ｂ
となるように、はみ出し量を設定する。すなわち、裁断誤差が発生し得る第２端Ｐ２に対しては、片面記録モード時と同様にはみ出し量（Ａ＋Ｂ）を取得し（ステップＳ５Ｂ）、さらに、裁断誤差が発生しない記録媒体の第１端Ｐ１に対しても、はみ出し量（Ａ＋Ｂ）を取得する（ステップＳ６Ｂ）。
【００４１】
また、記録媒体Ｐの左右方向においては、片面記録時と同様に、搬送動作時に生じる斜行誤差Ｃと記録媒体Ｐの裁断誤差Ｄとを考慮すると共に、記録媒体Ｐの左右のはみ出し量を、図７に示されるように、
はみ出し量（第３端）＝Ｃ＋Ｄ
はみ出し量（第４端）＝Ｃ＋Ｄ
となるように設定する。つまり、裁断誤差が発生しない記録媒体Ｐの第３端Ｐ３からのはみ出し量（Ｃ＋Ｄ）を取得し（ステップＳ７Ｂ）、裁断誤差が発生し得る記録媒体Ｐの第４端Ｐ４からのはみ出し量（Ｃ＋Ｄ）を取得する（ステップＳ８Ｂ）。
【００４２】
次に、ステップＳ９Ｂにおいて、上記ステップＳ５Ｂ〜Ｓ８Ｂにて取得したはみ出し量と、上記ステップＳ２にて取得した記録媒体サイズ情報、および上記ステップＳ３にて作成した基準画像データＰＳに基づき、図７の２点鎖線で示される全体画像データを作成する。具体的には、全体画像データの上下方向の大きさが記録媒体のサイズに第１端のはみ出し量（Ａ＋Ｂ）と第２端のはみ出し量（Ａ＋Ｂ）を加えた大きさに等しくなるように、基準画像データＰＳを上下方向に拡大する。これに加え、全体画像データの左右方向の大きさが記録媒体のサイズに第３端のはみ出し量（Ｃ＋Ｄ）および第４端のはみ出し量（Ｃ＋Ｄ）を加えた大きさに等しくなるように、基準画像データＰＳを左右方向に拡大する。このように基準画像データＰＳが拡大されたデータが全体画像データとなる。
【００４３】
このようにして、記録媒体Ｐの前後の端部（図７における端部Ｐ１、端部Ｐ２）のはみ出し量を均一化することにより、記録媒体に対する表面に対応した全体画像データの相対位置と記録媒体に対する裏面に対応した全体画像データの相対位置とを一致させることができる。そして、この構成によれば、２枚の記録媒体に見開き画像を形成する場合であっても、各見開き画像の上下方向（Ｘ方向）における画像位置を合わせることが可能となる。また、記録媒体Ｐの左右のはみ出し量を均一化することにより、記録媒体Ｐの左右の端部（図７において裏面の端部Ｐ３と表面の端部Ｐ３）に同じ幅の綴じ代を形成できる。なお、上記のようにして、基準画像データとはみ出し量に基づき作成された全体画像データは、記録装置の記録動作に適した形態のデータに変換された後、記録装置へと送信される（ステップＳ１０）。
【００４４】
次に、図６に示すフローチャートに基づき、この第１の実施形態にて実行される記録動作を説明する。
【００４５】
まず、ステップＳ２１では、ホストコンピュータ１０１にて生成された前述の画像情報（基準画像データとはみ出し量に基づき作成された全体画像データ）、記録開始指令、および片面／両面記録のモード設定データなどを始めとする種々の受信データを受信プリントバッファ１１５およびその他所定の記憶領域に格納する。ここで、受信プリントバッファ１１５に格納された画像データは、各色に対応した画像データに分割され、対応するプリントバッファ２１２に格納される。次に、受信した記録開始指令に応じて、給紙部２に積載された記録媒体の給紙動作を行うと共に、給紙した記録媒体を第１の経路Ｒ１に沿って搬送する（ステップＳ２２）。この後、記録媒体Ｐの前端が媒体端部センサ２１３によって検出されると（ステップＳ２３）、ＣＰＵ２１０は、記録媒体Ｐの前端から記録開始位置までの間隔を算出し、その間隔だけ記録媒体が搬送されたかどうか、すなわち全体画像データの最前端を記録すべき位置に達したか否かの判断を行う。上記間隔は、全体画像データの最前端に対応する搬送経路上の位置と媒体端部センサ２１３の位置との間隔に一致しており、その算出はホストコンピュータから送信されたデータに基づいて行われる。
【００４６】
記録媒体Ｐの搬送距離が前記算出された間隔に達すると（ステップＳ２４）、ＣＰＵ２１０はプリントバッファ２１２に格納されている画像データを読み出し、その画像データに基づき記録ヘッドによるインク吐出動作を開始する（ステップＳ２５）。この際、まず、記録媒体Ｐの第１端より外側にはみ出したはみ出し領域に対しインクの吐出動作が行われ、その後、記録媒体Ｐの前端である第１端Ｐ１が記録位置に達した時点で、記録媒体Ｐ上にインクが着弾し、記録媒体Ｐ上に画像が形成されて行く。
【００４７】
この後、１頁分の全体画像データに対するインク吐出動作が完了したと判断されると（ステップＳ２６）、現在設定されている記録モードが、片面記録モードであるか、両面記録モードであるかを、予めホストコンピュータ１０１から送信されて来たモード設定データに基づき判断する（ステップＳ２７）。ここで、片面記録モードが選択されている場合には、記録動作時と同様の方向に排紙ローラ４０，４１を回転させて記録済みの記録媒体Ｐを排紙トレイ４６へと排紙し、１枚の記録媒体に対する記録動作は完了する。
【００４８】
また、ステップＳ２６において、両面記録モードが設定されていると判断された場合には、排紙ローラ４０，４１を逆転させて記録媒体Ｐを第２の経路へと送り、第２の経路Ｒ２中に設けられた前述の各ローラの回転によって記録媒体Ｐの搬送動作を行う（ステップＳ２８）。この搬送動作によって記録媒体Ｐは、その表裏および前後が反転した状態となる。この反転した記録媒体Ｐの搬送方向前端である第２端Ｐ２が媒体端部センサ２１３に検出されると（ステップＳ３０）、ＣＰＵ２１０は再び記録媒体Ｐの第２端から記録開始位置までの間隔を算出し、その間隔だけ記録媒体が搬送された時点、すなわち全体画像データの最前端を記録すべき位置に達した時点で、インク吐出動作を開始する（ステップＳ３１）。この後、１頁分の全体画像データに対するインク吐出動作が完了した時点で、記録媒体Ｐの両面記録は完了し、記録媒体Ｐは排紙ローラ４１，４０の回転によって排紙トレイへと排出される（ステップＳ３２）。
【００４９】
以上のように、この第１の実施形態においては、記録媒体Ｐの前後の端部（図７における端部Ｐ１、端部Ｐ２）のはみ出し量を均一化し、また、記録媒体Ｐの左右の端部（端部Ｐ３、端部Ｐ４）のはみ出し量を均一化することにより、記録媒体に対する表面の全体画像データの相対位置と記録媒体に対する裏面の全体画像データの相対位置とを前後方向についても左右方向についても一致させることができる。また、この構成によれば、見開き頁を構成する２枚の記録媒体の表面および裏面に形成される各画像の中心位置Ｏを合わせることができる。
【００５０】
（第２の実施形態）
次に、本発明の第２の実施形態を説明する。なお、この第２の実施形態においても、第１の実施形態と同様に、図１ないし図４に示す構成を有するものとなっており、その説明の詳細は省略する。
【００５１】
第１の実施形態では、全体画像データとインク吐出領域とを一致させていた。つまり、画像データのはみ出し領域と実際にインクが吐出されるはみ出し領域とが一致していた。これに対し、本実施形態では、画像データのはみ出し領域よりも実際にインクが吐出されるはみ出し領域が小さくなるようし、インクミストの低減を図るものである。
【００５２】
本実施形態においては、上記第１の実施形態と同様まず、記録媒体Ｐのサイズに準じた基準画像データＰＳを設定し、記録媒体の第１端〜第４端それぞれに対応した画像データはみ出し量を取得する。ここで取得するはみ出し量は、第１の実施形態と同様である。
画像データはみ出し量（第１端）＝Ａ＋Ｂ
画像データはみ出し量（第２端）＝Ａ＋Ｂ
画像データはみ出し量（第３端）＝Ｃ＋Ｄ
画像データはみ出し量（第４端）＝Ｃ＋Ｄ
【００５３】
次に、これら基準画像データＰＳと画像データはみ出し量に基いて、図８の２点鎖線で示される全体画像データを作成する。以上のように全体画像データを作成するまでの処理は第１の実施形態と同じである。従って、第１の実施形態と同様、見開き頁を構成する２枚の記録媒体の表面および裏面に形成される各画像の形成位置が上下にずれるのを軽減することができる（図８参照）。上記のようにして全体画像データが作成されると、第２の実施形態の特徴的な処理へ移行する。この第２の実施形態では、第１の実施形態よりも、記録媒体からはみ出して吐出されるインク量を減らし、インクミストを低減するものである。
【００５４】
そこで、上記のようにして作成された全体画像データのうち、はみ出し領域に対応したデータの一部に対しマスク処理を行い、画像データのはみ出し領域よりも実際のインク吐出はみ出し領域を小さくしている。具体的には、図８の２点鎖線で示される全体画像データの全てについてインク吐出を行うのではなく、はみ出しデータの一部をマスクし、最終的には図８の細実線で示される領域がインク吐出領域となるように制御するのである。
【００５５】
この制御にあたり、用紙裁断精度に関係がない記録媒体の第１端Ｐ１と第３端Ｐ３について、実際のインク吐出はみ出し量を画像データはみ出し量よりも小さくしている。一方、用紙裁断精度が影響する記録媒体の第２端Ｐ２と第４端Ｐ４については、画像データのマスク処理は行わず、実際のインク吐出はみ出し量と画像データはみ出し量とが一致したままとする。  
はみ出し量（第１端）＝Ａ
はみ出し量（第２端）＝Ａ＋Ｂ
はみ出し量（第３端）＝Ｃ
はみ出し量（第４端）＝Ｃ＋Ｄ
このように、記録媒体からはみ出して吐出されるインク量を少なくすることで、インクミストを低減できる。  
なお、片面記録モードにおける画像データの生成処理、および記録動作は上記第１の実施形態と同様である。
【００５６】
以上のように、この第２の実施形態においても、記録媒体に対する表面の全体画像データの相対位置と記録媒体に対する裏面の全体画像データの相対位置とを前後方向についても左右方向についても一致させることができる。また、見開き頁を構成する２枚の記録媒体の表面および裏面に形成される各画像の形成位置が上下にずれるのを軽減することができる。しかも、この第２の実施形態では、両面記録時において記録媒体より外方にはみ出して吐出されるインク量を最小限に抑えることが可能になる。このため、記録装置１内におけるインクミストの発生量が低減し、記録装置１内に生じるインクによる汚損が軽減されると共に、画像の記録に寄与しないインクの消費量が減少し、ランニングコストの削減を図ることができる。
【００５７】
（第３の実施形態）
この第３の実施形態は、１つの連続した原画像データから、２枚の記録媒体に記録すべき見開き画像を生成する際に、見開き頁に記録される各画像の繋ぎ部分における画像の連続性を維持するための処理を行うものである。すなわち、１つの連続した見開き画像を単純に２分して各々の基準画像を設定し、各記録媒体への画像データを作成してしまうと、はみ出し画像として設定した部分の画像が欠けてしまう可能性がある。さらに、図９に示すように、綴じ代部分Ｈを各記録媒体Ｐ，Ｐに形成する場合には、その綴じ代部分Ｈに形成されている画像が隠れてしまうことがある。そこで、この第３の実施形態では、一つの連続した画像データから二つの基準画像データを作成する際に、一つの画像の中の中央部分の画像を左右の頁の端部にオーバーラップした状態で割り振るようにしている。
【００５８】
この状態を図１０に示す。図示のように、一つの画像ＰＯを左右の頁に分割する場合に、中央部分に形成される所定の幅ｔの画像Ｅを、左右の頁の各端部に加えることによって基準画像ＰＡ，ＰＢを形成する。そして、この第３の実施形態では、各基準画像ＰＡ，ＰＢの第１端Ｐ１および第２端Ｐ２には、同一の幅を有するはみ出し画像Ｇを加え、第３端Ｐ３および第４端Ｐ４には、同一の幅を有するはみ出し画像Ｆを加えるようになっている。なお、図中、Ｅ１，Ｅ２は、画像Ｅを中心線Ｌによって左右に２等分した画像Ｅ１，Ｅ２を示している。
【００５９】
ここで、左右の頁を連結する綴じ代を各頁に形成する場合には、左側の頁ＰＡに形成される画像Ｅにおける右端の画像Ｅ２が形成される領域を綴じ代とし、また、右側の頁ＰＢに形成される画像Ｅにおける左端の画像Ｅ１が形成される領域を綴じ代とする。これによって、両頁の綴じ代を接合させた場合にも、左頁の画像Ｅ１と右頁の画像Ｅ２とにより、左右の頁の画像が連続する。
【００６０】
以上のように画像データを作成し、上記第１の実施形態と同様にして、２枚の記録媒体の各々の表裏両面に全面記録を行うようにすれば、中央部分の画像が欠けたり、隠れたりすることなく、１つの画像を２つの見開き頁に形成することができる。また、この実施形態においても各基準画像ＰＡ，ＰＢの第１端Ｐ１および第２端Ｐ２に同一のはみ出し量Ｆを加えるようにしたため、画像の上下位置にずれが生じることはない。従って、この第３の実施形態によれば、綴じられた左右の見開き頁に対し、良好な連続性を有する画像を形成することが可能となる。
【００６１】
なお、上記実施形態では、綴じ代を設ける場合を例に採り説明したが、綴じ代を設けずに見開き頁を構成する場合には、左頁ＰＢの画像Ｅ２および右頁ＰＢの画像Ｅ１は各基準画像から削除することが可能となる。
【００６２】
（その他）
なお、以上の説明では、ホストＰＣ１０１において画像データの生成および記録動作に関するデータを形成する場合を例に採り説明したが、それらのデータの生成をホストコンピュータで行わず、記録装置に設けられた制御系などに格納したプログラムなどによって実行するようにしても良い。
【００６３】
また、本発明に適用可能なプリンタとしては、上述したインクジェットプリント方式の他、種々のプリント方式（例えば、昇華型方式）のものを採用することができる。すなわち、インク以外の着色材によって画像をプリントする場合にも適用可能である。また、インクジェットプリントヘッドにおけるインクの吐出方式は、電気熱変換体を用いた方式のみに限定されず任意であり、例えば、ピエゾ素子などの素子を用いた吐出方式であってもよい。
【図面の簡単な説明】
【００６４】
【図１】本発明の第１の実施形態における記録装置の斜視図である。
【図２】本発明の第１の実施形態における記録装置の機構部の斜視図である。
【図３】本発明の第１の実施形態における記録装置の縦断側面図である。
【図４】本発明の実施形態における制御系の概略構成を示すブロック図である。
【図５】本発明の第１の実施形態における画像データ生成処理を示すフローチャートである。
【図６】本発明の第１の実施形態における記録動作手順を示すフローチャートである。
【図７】本発明の第１の実施形態において記録媒体の表裏両面に対し両面記録を行う場合の画像のはみ出し量および記録媒体に記録される画像を示す説明図である。
【図８】本発明の第２の実施形態において記録媒体の表裏両面に対し両面記録を行う場合の画像のはみ出し量および記録媒体に記録される画像を示す説明図である。
【図９】２枚の記録媒体に形成する綴じ代を示す図である。
【図１０】本発明の第３の実施形態において記録媒体の表裏両面に対し全面記録を行う場合の画像のはみ出し量および綴じ代などの設定状態を示す説明図である。
【図１１】記録媒体に対し両面記録を可能とする従来の記録装置を示す縦断側面図である。
【図１２】記録媒体に対して全面記録を行う従来の片面記録用の記録装置によるはみ出し量の設定方法、およびその設定方法を用いて従来の両面記録装置により両面記録を実行させた場合の記録媒体の表裏両面に形成される画像の位置を示す説明図である。
【符号の説明】
【００６５】
Ｐ  記録媒体
ＰＯ  全体画像
ＰＳ  基準画像
１  記録装置
４５  記録ヘッド
１０１  ホストコンピュータ
２０１  制御部
２０２  ヘッドドライバ
２１０  ＣＰＵ
２１２  プリントバッファ
２１１  ＲＯＭ
２１２  ＲＡＭ
２１３  媒体端部センサ
【図１】
2006051714.tif 000003
【図２】
2006051714.tif 000004
【図３】
2006051714.tif 000005
【図４】
2006051714.tif 000006
【図５】
2006051714.tif 000007
【図６】
2006051714.tif 000008
【図７】
2006051714.tif 000009
【図８】
2006051714.tif 000010
【図９】
2006051714.tif 000011
【図１０】
2006051714.tif 000012
【図１１】
2006051714.tif 000013
【図１２】
2006051714.tif 000014